(57)【要約】【課題】スクリーンとしての遮光機能と意匠性のみならず太陽電池としての発電性能と可撓性を兼備させる。【解決手段】本発明の太陽電池付きロールスクリーンは、天井又は壁面に取り付けられる支持バー１２と、この支持バーにこの支持バーに沿って回転可能に設けられた巻取りパイプ１３と、一端が巻取りパイプ１３に取り付けられて巻取りパイプ１３に巻き取られる太陽電池フィルムシート１４と、一端が太陽電池フィルムシート１４の他端に取り付けられ他端が支持バー１２の長手側の一端に取り付けられるスクリーン１１と、太陽電池フィルムシート１４とスクリーン１１に張力を付与するようにスクリーンと太陽電池フィルムシートの折り返し部１６に位置するように設けられたウエイトバー１５とを備える。【選択図】図１
2014105449.tif 000002
【特許請求の範囲】
【請求項１】
天井又は壁面に取り付けられる支持バー(12)と、この支持バー(12)にこの支持バーに沿って回転可能に設けられた巻取りパイプ(13)と、一端が前記巻取りパイプ(13)に取り付けられる太陽電池フィルムシート(14)と、一端が前記太陽電池フィルムシート(14)の他端に取り付けられ他端が前記支持バー(12)の長手側の一端に取り付けられるスクリーン(11)と、前記太陽電池フィルムシート(14)と前記スクリーン(11)に張力を付与するように前記スクリーン(11)と前記太陽電池フィルムシート(14)の折り返し部(16)に位置するように設けられたウエイトバー(15)とを備えたことを特徴とする太陽電池付きロールスクリーン。
【請求項２】
前記スクリーン(11)及び前記太陽電池フィルムシート(14)を前記巻取りパイプ(13)から最大に繰り出したとき、前記太陽電池フィルムシート(14)は窓側に配置され、前記スクリーン(11)は室内側に配置される請求項１記載の太陽電池付きロールスクリーン。
【請求項３】
前記太陽電池フィルムシート(14)の長さが前記スクリーン(11)の長さより短い請求項１又は２記載の太陽電池付きロールスクリーン。
【請求項４】
前記太陽電池フィルムシート(14)は、その正極配線(65a)と負極配線(65b)とがそれぞれ接続される正極用出力線(66a)と負極用出力線(66b)とが設けられたシート取付バー(14d)を備え、
前記巻取りパイプ(13)は、その両端に固着された回転軸(13b)又はその両端で巻取りパイプを回転可能に支持する支軸(80b)と前記シート取付バー(14d)が嵌合するパイプ長手方向に設けられたバー取付溝(13c)とを備え、
前記バー取付溝(13c)は、その一端に前記正極用出力線(66a)と前記負極用出力線(66b)とにそれぞれ接続される正極ブラシ(64a)と負極ブラシ(64b)とを備え、
前記支持バー(12)は、その両端に対向して配置され前記回転軸(13b)又は前記支軸(80b)を軸受する支持孔(60a)を有する一対の支持ブラケット(12c)を備え、
前記正極ブラシ(64a)と前記負極ブラシ(64b)は、一方の支持ブラケット(12c)から引き出される正極取出し配線(61a)と負極取出し配線(61b)に接続されるように構成された
請求項１ないし３いずれか１項に記載の太陽電池付きロールスクリーン。
【請求項５】
前記巻取りパイプ(13)は、その両端に固着された回転軸(13b)を備え、前記一方の支持ブラケット(12c)は、前記バー取付溝(13c)の一端に対向する内面に前記正極ブラシ(64a)と前記負極ブラシ(64b)にそれぞれ接続される前記支持孔(60a)を中心に互いに異なる径でリング状に配設された正極端子(62a)と負極端子(62b)とを備え、
これらの正極端子(62a)と負極端子(62b)が前記一方の支持ブラケット(12c)に設けられた前記正極取出し配線(61a)と前記負極取出し配線(61b)にそれぞれ接続されるように構成された請求項４記載の太陽電池付きロールスクリーン。
【請求項６】
前記巻取りパイプ(13)は、その両端に固着された回転軸(13b)を備え、円板状のエンドキャップ(50)がその中心孔(73)を前記正極ブラシ(64a)と前記負極ブラシ(64b)を有する側の一方の前記回転軸(13b)に嵌入して前記巻取りパイプ(13)に固定され、
前記エンドキャップ(50)の前記巻取りパイプ(13)に対向する内面に前記正極ブラシ(64a)と前記負極ブラシ(64b)にそれぞれ接続される前記中心孔(73)を中心に互いに異なる径でリング状の第１正極配線(63a)と第１負極配線(63b)とが配設され、
前記エンドキャップ(50)の外面に前記第１正極配線(63a)と前記第１負極配線(63b)とにそれぞれ導通する前記中心孔(73)を中心に互いに異なる径でリング状の第２正極配線(72a)と第２負極配線(72b)とが配設され、
前記第２正極配線(72a)と前記第２負極配線(72b)とに接続する正極コンタクト(71a)と負極コンタクト(71b)とが前記一方の支持ブラケット(12c)に配設され、
前記正極コンタクト(71a)と前記負極コンタクト(71b)とが前記正極取出し配線(61a)と前記負極取出し配線(61b)にそれぞれ接続されるように構成された請求項４記載の太陽電池付きロールスクリーン。
【請求項７】
前記巻取りパイプ(13)は、その両端で巻取りパイプを回転可能に支持する支軸(80b)を備え、
前記支軸(80b)に前記支軸より大径の軸部(80a)が固着されて形成されたエンドキャップ(80)が前記軸部(80a)を前記正極ブラシ(64a)と前記負極ブラシ(64b)を有する側の前記巻取りパイプ(14)の端部に嵌入して設けられ、
前記軸部(80a)の周面に前記正極ブラシ(64a)と前記負極ブラシ(64b)にそれぞれ接続される第３正極配線(80c)と第３負極配線(80d)とが配設され、
前記第３正極配線(80c)と前記第３負極配線(80d)とが前記軸部(80a)内部の通孔と前記支軸(80b)の中心孔(80e)と前記一方の支持ブラケット(12c)の支持孔(60a)を通って前記正極取出し配線(61a)と前記負極取出し配線(61b)にそれぞれ接続されるように構成された請求項４記載の太陽電池付きロールスクリーン。
【請求項８】
太陽電池付きロールスクリーン(10)に取り付ける太陽電池フィルムシート(14)であって、その一端を巻取りパイプ(13)に取り付け可能な第１接続部とその他端をスクリーン(11)に取り付け可能な第２接続部とを有することを特徴とする太陽電池フィルムシート。
【請求項９】
前記太陽電池フィルムシート(14)が複数の太陽電池セル(14b)を有する請求項８記載の太陽電池フィルムシート。
【請求項１０】
前記複数の太陽電池セル(14b)が長方形であって、その長手方向を前記巻取りパイプ(13)の巻取り方向にして前記複数の太陽電池セル(14b)を縦列に配設してなる請求項９記載の太陽電池フィルムシート。
【請求項１１】
前記第１接続部が前記巻取りパイプ(13)に着脱可能なシート取付バー(14d)であり、前記第２接続部が前記太陽電池フィルムシート(14)の他端を前記スクリーン(11)の一端に着脱可能に接合するコネクタ、面ファスナ、ホック又はビスである請求項８記載の太陽電池フィルムシート。
【請求項１２】
前記シート取付バー(14d)は、太陽電池フィルムシート(14)の正極配線(65a)と負極配線(65b)とがそれぞれ接続される正極用出力線(66a)と負極用出力線(66b)とを有する請求項１１記載の太陽電池フィルムシート。
【発明の詳細な説明】
【技術分野】
【０００１】
本発明は、使用時に二重スクリーンとなるロールスクリーンに関する。更に詳しくはスクリーンと太陽電池フィルムシートとを使用時に二重構造にした太陽電池付きロールスクリーンに関するものである。
【背景技術】
【０００２】
従来より、ロールスクリーンは、その遮光性、収納性から、窓や空間に設置され、屋内外の光線や熱線、又は視線を遮断するために用いられている。一方、太陽電池は発電効率を高めるために、屋外の屋根や外壁などに設置されていたが、地球温暖化やエコ意識の高まりの中、窓ガラスに設置されるシースルー型のもが開発されたり、薄膜化された可撓性を持つシート状のものを、移動電源として収納性の良いロール状にして屋内外で使用することが提案されている。更に、屋内で使用するロールスクリーンに、発電機能を備える提案もされている。しかし、この種のロールスクリーンは、第一に遮光機能が求められるため、可撓性のあるフィルムシート上の太陽電池を設けるだけでは、十分な遮光機能が得られなかった。また、生活空間を豊かなものとするために、ロールスクリーンには意匠性が求められていた。このような、発電機能と遮光機能を十分に発揮できるようにしようという考えに基づいて、複数の太陽電池ユニットセルをラミネート加工によって挟むように一体成形した太陽電池フィルムシートをスクリーン部とした、ロールスクリーンが提案されている（例えば、特許文献１参照。）。こうした構成のロールスクリーンの発電機能は、太陽電池フィルムシートで行われ、遮光機能は、複数の太陽電池ユニットセルを挟むラミネート加工された部分の太陽電池ユニットセルの裏面側に、遮光部材として天然繊維、化学繊維などを太陽電池ユニットセルの無い部分又は裏面の全面に接着したり、ラミネートの中に遮光部材を封入したり、ラミネートする被膜自体に遮光性を有する材料を混ぜたり、金属蒸着、塗布したりしていた。また、意匠性を求める場合は、遮光部材の更に外側に印刷フィルムや着色剤によって意匠層を設けていた。
【先行技術文献】
【特許文献】
【０００３】
【特許文献１】特開２０１１−１７９１９３号公報（段落［００２４］〜［００４８］、段落［００９０］〜［００９９］、図１〜６）
【発明の概要】
【発明が解決しようとする課題】
【０００４】
しかしながら、上記特許文献１に示されるロールスクリーンには、遮光性能、意匠性、発電性能、可撓性について以下の問題点があった。太陽電池フィルムシートに遮光剤を塗布、蒸着した場合、塗布剤や蒸着物が、巻き取ったロールスクリーンの太陽電池フィルムシートの発電面側に色写りしたり、塗布剤が剥がれ落ちたりして太陽電池の発電性能劣化や、遮光機能の劣化、意匠の劣化が起こるおそれがあった。これらの機能を保持するために更に被膜層などを設けた場合には、厚みが増すことにより太陽電池フィルムシートとしての可撓性が十分に発揮できずロールスクリーンとして実用的でなかった。また、太陽電池フィルムシートの裏面側に遮光部材を貼り付けると、貼り付け具合や遮光部材分の厚みが増えることによって、ロールスクリーンの可撓性が悪化し、貼り付けた遮光部材が剥がれ落ちるおそれがある。また遮光部材を貼り付けた時の気泡などによる意匠性の低下が懸念されると共に、遮光性部材の材質によっては蓄熱により太陽電池の発電性能が劣化するという問題点があった。更に、太陽電池ユニットセルを被膜するラミネートの材料に遮光性を有する材料を加える場合には、導電性のある材料や、蓄熱性や蓄熱色を持つ材料は、太陽電池の電気的性能や発電性能を低下させないように、その使用材料に制限が加わり、ロールスクリーンに求められる意匠性の幅が減少すると懸念される。このような、遮光性能、発電性能、意匠性が低下する問題点だけでなく、室内の模様替えや、周辺の環境変化によって遮光性能を増減したい場合には、ロールスクリーン全体を交換する必要があり、経済的でなかった。
【０００５】
本発明の目的は、遮光性能と意匠性に優れるばかりか、発電性能と可撓性にも優れる太陽電池付きロールスクリーンを経済的に提供することにある。
【課題を解決するための手段】
【０００６】
本発明者らは、上記従来の発電機能と遮光機能を持ったロールスクリーンについて、鋭意検討し、二重スクリーンにより構成されるロールスクリーンの一方のスクリーンを遮光性能を持ったスクリーンとし、他方のスクリーンを太陽電池フィルムシートとして、スクリーンとしての遮光機能と意匠性のみならず、太陽電池としての発電機能と可撓性を兼備させることにより本発明に到達した。
【０００７】
本発明の第１の観点は、図１〜図３に示すように、天井又は壁面に取り付けられる支持バー１２と、この支持バー１２にこの支持バーに沿って回転可能に設けられた巻取りパイプ１３と、一端が巻取りパイプ１３に取り付けられる太陽電池フィルムシート１４と、一端が太陽電池フィルムシート１４の他端に取り付けられ他端が支持バー１２の長手側の一端に取り付けられるスクリーン１１と、太陽電池フィルムシート１４とスクリーン１１に張力を付与するようにスクリーン１１と太陽電池フィルムシート１４の折り返し部１６に位置するように設けられたウエイトバー１５とを備えたことにある。
【０００８】
本発明の第２の観点は、第１の観点に基づく発明であって、スクリーン１１及び太陽電池フィルムシート１４を巻取りパイプ１３から最大に繰り出したとき、太陽電池フィルムシート１４は窓側に配置され、スクリーン１１は室内側に配置されることにある。
【０００９】
本発明の第３の観点は、第１又は第２の観点に基づく発明であって、太陽電池フィルムシート１４の長さがスクリーン１１の長さより短いことにある。
【００１０】
本発明の第４の観点は、第１ないし第３のいずれかの観点に基づく発明であって、図５〜図７、図９又は図１４に示すように、太陽電池フィルムシート１４は、その正極配線６５ａと負極配線６５ｂとがそれぞれ接続される正極用出力線６６ａと負極用出力線６６ｂとが設けられたシート取付バー１４ｄを備え、巻取りパイプ１３は、その両端に固着された回転軸１３ｂ（図５、図９）又はその両端で巻取りパイプを回転可能に支持する支軸８０ｂ（図１４）とシート取付バー１４ｄが嵌合するパイプ長手方向に設けられたバー取付溝１３ｃとを備え、このバー取付溝１３ｃは、その一端に正極用出力線６６ａと負極用出力線６６ｂとにそれぞれ接続される正極ブラシ６４ａと負極ブラシ６４ｂとを備え、支持バー１２は、その両端に対向して配置され回転軸１３ｂ又は支軸８０ｂを軸受する支持孔６０ａを有する一対の支持ブラケット１２ｃを備え、正極ブラシ６４ａと負極ブラシ６４ｂは、一方の支持ブラケット１２ｃから引き出される正極取出し配線６１ａと負極取出し配線６１ｂに接続されるように構成されたことにある。
【００１１】
本発明の第５の観点は、第４の観点に基づく発明であって、図５〜図７に示すように、巻取りパイプ１３は、その両端に固着された回転軸１３ｂを備え、一方の支持ブラケット１２ｃは、バー取付溝１３ｃの一端に対向する内面に正極ブラシ６４ａと負極ブラシ６４ｂにそれぞれ接続される支持孔６０ａを中心に互いに異なる径でリング状に配設された正極端子６２ａと負極端子６２ｂとを備え、これらの正極端子６２ａと負極端子６２ｂが一方の支持ブラケット１２ｃに設けられた正極取出し配線６１ａと負極取出し配線６１ｂにそれぞれ接続されるように構成されたことにある。
【００１２】
本発明の第６の観点は、第４の観点に基づく発明であって、図９〜図１３に示すように、巻取りパイプ１３は、その両端に固着された回転軸１３ｂを備え、円板状のエンドキャップ５０がその中心孔７３を正極ブラシ６４ａと負極ブラシ６４ｂを有する側の一方の回転軸１３ｂに嵌入して巻取りパイプ１３に固定され、エンドキャップ５０の巻取りパイプ１３に対向する内面に正極ブラシ６４ａと負極ブラシ６４ｂにそれぞれ接続される中心孔７３を中心に互いに異なる径でリング状の第１正極配線６３ａと第１負極配線６３ｂとが配設され、エンドキャップ５０の外面に第１正極配線６３ａと第１負極配線６３ｂとにそれぞれ導通する中心孔７３を中心に互いに異なる径でリング状の第２正極配線７２ａと第２負極配線７２ｂとが配設され、第２正極配線７２ａと第２負極配線７２ｂとに接続する正極コンタクト７１ａと負極コンタクト７１ｂとが一方の支持ブラケット１２ｃに配設され、正極コンタクト７１ａと負極コンタクト７１ｂとが正極取出し配線６１ａと負極取出し配線６１ｂにそれぞれ接続されるように構成されたことにある。
【００１３】
本発明の第７の観点は、第４の観点に基づく発明であって、図１４〜図１６に示すように、巻取りパイプ１３は、その両端で巻取りパイプを回転可能に支持する支軸８０ｂを備え、この支軸８０ｂに支軸より大径の軸部８０ａが固着されて形成されたエンドキャップ８０が軸部８０ａを正極ブラシ６４ａと負極ブラシ６４ｂを有する側の巻取りパイプ１４の端部に嵌入して設けられ、軸部８０ａの周面に正極ブラシ６４ａと負極ブラシ６４ｂにそれぞれ接続される第３正極配線８０ｃと第３負極配線８０ｄとが配設され、第３正極配線８０ｃと第３負極配線８０ｄとが軸部８０ａ内部の通孔と支軸８０ｂの中心孔８０ｅと一方の支持ブラケット１２ｃの支持孔６０ａを通過する正極取出し配線６１ａと負極取出し配線６１ｂにそれぞれ接続されるように構成されたことにある。
【００１４】
本発明の第８の観点は、太陽電池付きロールスクリーン１０に取り付ける太陽電池フィルムシート１４であって、その一端を巻取りパイプ１３に取り付け可能な第１接続部とその他端をスクリーン１１に取り付け可能な第２接続部とを有することにある。
【００１５】
本発明の第９の観点は、第８の観点に基づく発明であって、太陽電池フィルムシート１４が複数の太陽電池セル１４ｂを有することにある。
【００１６】
本発明の第１０の観点は、第９の観点に基づく発明であって、複数の太陽電池セル１４ｂが長方形であって、その長手方向を巻取りパイプ１３の巻取り方向にして複数の太陽電池セル１４ｂを縦列に配設してなることにある。
【００１７】
本発明の第１１の観点は、第８の観点に基づく発明であって、第１接続部が巻取りパイプ１３に着脱可能なシート取付バー１４ｄであり、第２接続部が太陽電池フィルムシート１４の他端をスクリーン１１の一端に着脱可能に接合するコネクタ、面ファスナ、ホック又はビスであることにある。
【００１８】
本発明の第１２の観点は、第１１の観点に基づく発明であって、シート取付バー１４ｄは、太陽電池フィルムシート１４の正極配線６５ａと負極配線６５ｂとがそれぞれ接続される正極用出力線６６ａと負極用出力線６６ｂとを有することにある。
【発明の効果】
【００１９】
本発明の第１の観点では、スクリーンとしての遮光性能と意匠性に優れているばかりか、太陽電池としての発電性能と可撓性にも優れている。
【００２０】
本発明の第２の観点では、太陽電池フィルムシート１４により窓からの光線を受けて所望の発電容量を得て、スクリーン１１により窓からの熱線を遮るとともに、スクリーン１１の意匠を室内において鑑賞することができる。
【００２１】
本発明の第３の観点では、スクリーン１１を巻取りパイプ１３から最大に繰り出したときに、太陽電池フィルムシート１４が室内側に配置されず、発電性能を犠牲にすることがない。
【００２２】
本発明の第４の観点では、太陽電池フィルムシート１４をシート取付バー１４ｄを介して巻取りパイプ１４のバー取付溝１３ｃに容易に取り付けて太陽電池フィルムシート１４で得た電力を太陽電池付きロールスクリーン１０から取り出すことができ、またシート取付バー１４をバー取付溝１３から脱離して太陽電池フィルムシート１４を巻取りパイプ１４から取り外すことができる。
【００２３】
本発明の第５ないし第７の観点では、太陽電池フィルムシート１４で発電された電力を確実に太陽電池付きロールスクリーンから取り出すことができる。
【００２４】
本発明の第８の観点では、太陽電池フィルムシート１４を第１接続部により巻取りパイプに接続することができ、第２接続部によりスクリーンに接続することができる。
【００２５】
本発明の第９の観点では、複数の太陽電池セル１４ｂで構成することにより、所望の広さの太陽電池フィルムシートにすることができる。
【００２６】
本発明の第１０の観点では、長方形の複数の太陽電池セル１４ｂを縦列することにより、所望の幅の太陽電池フィルムシートにすることができる。
【００２７】
本発明の第１１の観点では、第１接続部を巻取りパイプ１３に着脱可能なシート取付バー１４ｄとすることにより、簡便に太陽電池フィルムシート１４を巻取りパイプ１３に取付け又は取外しをすることができる。また第１接続部をコネクタ、面ファスナ、ホック又ビスとすることにより、確実に太陽電池フィルムシート１４をスクリーン１１に接続しかつスクリーン１１から取り外すことができる。
【００２８】
本発明の第１２の観点では、シート取付バー１４ｄにより太陽電池フィルムシート１４の正極配線６５ａと負極配線６５ｂを確実に太陽電池付きロールスクリーンから取り出すことができる。
【図面の簡単な説明】
【００２９】
【図１】本発明第１実施形態の太陽電池付きロールスクリーンの太陽電池フィルムシートを巻取りパイプに巻き取った状態を示す図３のＡ−Ａ線断面図である。
【図２】その太陽電池フィルムシートを巻取りパイプから繰り出した状態を示す図１に対応する断面図である。
【図３】図２の太陽電池付きロールスクリーンの斜視図である。
【図４】本発明の太陽電池フィルムシートの他端とスクリーンの一端を接続するコネクタの斜視図である。
【図５】本発明第１実施形態の太陽電池付きロールスクリーンの太陽電池フィルムシートと巻取りパイプと一方の支持ブラケットの分解斜視図である。
【図６】その一方の支持ブラケットの右側面図である。
【図７】その一方の支持ブラケットの正面図である。
【図８】本発明の太陽電池付きロールスクリーンを含むシステム構成図である。
【図９】本発明第２実施形態の太陽電池付きロールスクリーンの巻取りパイプとエンドキャップと一方の支持ブラケットの分解斜視図である。
【図１０】そのエンドキャップの正面図である。
【図１１】そのエンドキャップの右側面図である。
【図１２】そのエンドキャップの左側面図である。
【図１３】その一方の支持ブラケットの右側面図である。
【図１４】本発明第３実施形態の太陽電池付きロールスクリーンの巻取りパイプとエンドキャップと一方の支持ブラケットの要部分解断面図である。
【図１５】その一方の支持ブラケットの斜視図である。
【図１６】そのエンドキャップの図１４のＢ−Ｂ線断面図である。
【発明を実施するための形態】
【００３０】
次に本発明を実施するための形態を図面に基づいて説明する。
【００３１】
＜第１の実施の形態＞
図１〜図３に示すように、本発明の太陽電池付きロールスクリーン１０は、スクリーン１１、支持バー１２、巻取りパイプ１３、太陽電池フィルムシート１４、ウエイトバー１５及び折り返し部１６により構成される。支持バー１２は、この実施の形態では天井に取り付けられる。図示しないが、壁面に取り付けてもよい。支持バー１２は、その両端に対向して一対のブラケット１２ｃが配置され、この支持バー１２には巻取りパイプ１３が回転可能に設けられる。巻取りパイプ１３には可撓性のある、巻取りパイプに巻き取られる太陽電池フィルムシート１４の一端が取り付けられる。太陽電池フィルムシート１４の他端にはスクリーン１１の一端が取り付けられ、スクリーン１１の他端は支持バー１２の長手側の一端に取り付けられる。また太陽電池フィルムシート１４とスクリーン１１に張力を付与するようにスクリーン１１と太陽電池フィルムシート１４の折り返し部１６に位置するようにウエイトバー１５が設けられる。
【００３２】
図１は、太陽電池フィルムシート１４を巻取りパイプ１３に巻き取って収納した状態を示し、図２は、太陽電池フィルムシート１４を巻取りパイプ１３から繰り出して太陽電池フィルムシート１４が発電できる状態を示す。図３に示すように、支持バー１２の一端には、巻取りパイプ１３を回転させるための調整コード３０が設けられる。この調整コード３０は巻取りパイプ１３の一方の端部に設けられたスプロケット（図示せず）に掛け回される。調整コード３０の操作により、太陽電池フィルムシート１４とスクリーン１１を巻取りパイプ１３に巻き取るか、或いは巻取りパイプ１３から繰り出すことができる。
【００３３】
図１及び図２に示すように、スクリーン１１は、スクリーン本体１１ａ、取付板１１ｂ及びコネクタ１１ｃにより構成される。支持バー１２は、支持バー本体１２ａ、溝１２ｂ、前述した一対の支持ブラケット１２ｃ、化粧板１２ｄ及び取付金具１２ｅにより構成される。巻取りパイプ１３は、巻取りパイプ本体１３ａ、支軸１３ｂ及びバー取付溝１３ｃにより構成される。また太陽電池フィルムシート１４は、太陽電池フィルムシート本体１４ａ、太陽電池セル１４ｂ、コネクタ１４ｃ及びシート取付バー１４ｄにより構成される。この実施の形態では、シート取付バー１４ｄは第１接続部に相当し、コネクタ１４ｃは第２接続部に相当する。
【００３４】
スクリーン本体１１ａは、遮光機能と意匠性を有し、主に天然繊維（綿、麻、絹、羊毛、革等）、化学繊維（アクリル、ナイロン等）が使用されるが、金属繊維やガラス繊維等シート状に加工できればどのような材質でも使用できる。取付板１１ｂは、支持バー１２の窓側の一端にその長手方向に設けられた溝１２ｂに取外し可能に嵌合してスクリーン本体１１ａを支持バー本体１２ａに取り付けられる。
【００３５】
コネクタ１１ｃは、太陽電池フィルムシート１４のコネクタ１４ｃと嵌合して、スクリーン本体１１ａと太陽電池フィルムシート本体１４ａとを接続する。この実施の形態では、図４に示すように、コネクタ１１ｃは、先端に棒状体を有し、基端がスクリーン１１の一端に接着剤で接着される。またコネクタ１４ｃは、先端にこの棒状体を取外し可能に挟持する弾力性のあるクリップを有し、基端が太陽電池フィルムシート１４の他端に接着剤で接着される。コネクタ１１ｃ及び１４ｃは、図示しないが、面ファスナ、ホック、ビスによりスクリーンを太陽電池フィルムシートに対して着脱可能に構成してもよい。またスクリーンの一端と太陽電池フィルムシートの他端を直接接合してもよい。直接接合する例としては、縫合、接着、融着等が挙げられる。
【００３６】
支持バー１１に配置された支持ブラケット１２ｃは、支持バー本体１２ａに固定される。図５に示すように、巻取りパイプ１３はその両端に固着された回転軸１３ｂを備え、この回転軸１３ｂは支持ブラケット１２ｃの支持孔６０ａに挿入して軸受される。図３に示すように、化粧板１２ｄは、支持ブラケット１２ｃの外側に配置され、ロールスクリーン１０、特に回転、接続部分を保護するとともに、意匠機能も果たす。取付金具１２ｅは、支持バー本体１２ａに取り付けられ、ロールスクリーン１０を設置場所である天井又は図示しない壁面に取り付ける。図５に示すように、バー取付溝１３ｃには、太陽電池フィルムシート１４のシート取付バー１４ｄが嵌合する。これにより太陽電池フィルムシート１４が巻取りパイプ本体１３ａの巻き取り面に取り付けられ、巻取りパイプ本体１３ａに太陽電池フィルムシート１４及びスクリーン１１が巻き取られる。
【００３７】
図５に示すように、太陽電池フィルムシート１４は複数の太陽電池セル１４ｂが太陽電池フィルムシート本体１４ａ上に設けられる。この実施の形態では、発電機能を有する太陽電池セル１４ｂを透明な樹脂でラミネートして太陽電池フィルムシート本体１４ａが形成される。太陽電池セル１４ｂは正極配線６５ａと負極配線６５ｂを有する。太陽電池フィルムシート本体１４ａの厚さは可撓性を有するように５００μｍ以下が好ましく、２００μｍ以下が更に好ましい。太陽電池セル１４ｂの数は、設置する窓の広さ、幅に応じて決められる。個々の太陽電池セル１４ｂの正極配線６５ａと負極配線６５ｂを後述するシート取付バー１４ｄの正極用出力線６６ａと負極用出力線６６ｂに接続しておけば、１つの太陽電池セル１４ｂが故障した場合にも他の太陽電池セル１４ｂにより発電を行うことができる。
【００３８】
この実施の形態では、太陽電池セル１４ｂは長方形であって、その長手方向を巻取りパイプ１３からスクリーン１１の方向とし、縦列に設置される。これにより太陽電池セル１４ｂの数を増減することで、窓枠の幅に合わせた太陽電池付きロールスクリーン１０を提供することができる。図１及び図２に示すように、太陽電池フィルムシート１４は窓側に配置され、スクリーン１１は室内側に配置されるようになっている。また太陽電池フィルムシート１４の長さはスクリーン１１の長さより短くなっている。これにより、スクリーン１１を巻取りパイプ１３から最大に繰り出した場合、最大の発電効率が期待できる。太陽電池フィルムシート１４の長さをスクリーン１１の長さより短かくすることで、スクリーン１１の遮光性能を十分発揮でき、また、このように設定することで、太陽電池フィルムシート１４が室内側に配置されず、発電性能を犠牲にすることがなく、太陽電池フィルムシート１４がウエイトバー１５を通ることがない。
【００３９】
このウエイトバー１５は、ウエイトバー本体１５ａ、錘１５ｂ、動滑車１５ｃにより構成される。ウエイトバー本体１５ａは、錘１５ｂと動滑車１５ｃを一体的に成形して作られる、スクリーン１１は錘１５ｂと動滑車１５ｃの間に挟み込まれる。これにより太陽電池付きロールスクリーン１０の使用時にスクリーン１１と太陽電池フィルムシート１４に錘１５ｂの重みにより張力が付与される。即ち、錘１５ｂは、自身の重量によってスクリーン１１と太陽電池フィルムシート１４に張力を付与するものである。金属やゴムなど重量のある材質が使用される。動滑車１５ｃは、スクリーン１１とウエイトバー１５の間の摩擦を軽減して、ウエイトバー１５をスクリーン１１上でスムーズに移動させ、ウエイトバー１５を、繰り出されたスクリーン１１と太陽電池フィルムシート１４の長さをほぼ等分した点である折り返し部１６に位置するように移動させる。
【００４０】
図５に示すように、シート取付バー１４ｄはその内部にシート取付バーの長手方向に正極用出力線６６ａと負極用出力線６６ｂとが配設され、巻取りパイプ１３の長手方向に設けられたバー取付溝１３ｃに取外し可能に嵌合する。このバー取付溝１３ｃは、その一端に正極用出力線６６ａと負極用出力線６６ｂとにそれぞれ接続される正極ブラシ６４ａと負極ブラシ６４ｂとを備える。この実施の形態では、正極ブラシ６４ａは巻取りパイプの周面寄りに、負極ブラシ６４ｂは巻取りパイプの中心寄りに各先端がそれぞれ設けられる。
【００４１】
この実施の形態では、図５及び図６に示すように、一方の支持ブラケット１２ｃのバー取付溝１３ｃの一端に対向する内面には、中心孔６０ｂを有するディスク６０ｃがネジ止めされる。中心孔６０ｂは支持孔６０ａと同一径を有する。ディスク６０ｃの表面には正極ブラシ６４ａと負極ブラシ６４ｂにそれぞれ接続される支持孔６０ａを中心に互いに異なる径でリング状に正極端子６２ａと負極端子６２ｂに配設される。これらの正極端子６２ａ及び負極端子６２ｂは導電性ペーストを印刷し焼成することにより、或いは導電性リングをディスク６０ｃに貼り付けることにより形成される。そしてこれらの正極端子６２ａと負極端子６２ｂは、図５及び図７に示すように、ディスク６０ｃの通孔（図示せず）と一方の支持ブラケット１２ｃの通孔（図示せず）を通過する正極取出し配線６１ａと負極取出し配線６１ｂにそれぞれ接続される。上記構成により、正極ブラシ６４ａと負極ブラシ６４ｂは、一方の支持ブラケット１２ｃから引き出される正極取出し配線６１ａと負極取出し配線６１ｂにそれぞれ接続される。
【００４２】
このように構成された太陽電池付きロールスクリーン１０では、スクリーンと太陽電池フィルムシートとを二重構造にして使用したときに、ロールスクリーンの一方のスクリーンを遮光性能を持ったスクリーンとし、他方のスクリーンを太陽電池フィルムシートとすることができ、スクリーンとしての遮光機能と意匠性のみならず、太陽電池としての発電機能と可撓性を兼備させることができる。
【００４３】
図８は、この実施の形態の太陽電池付きロールスクリーン１０を含むシステム構成図である。ロールスクリーン１０の太陽電池の出力は、上述した正極取出し配線６１ａと負極取出し配線６１ｂを介して充放電制御装置５１に接続される。充放電制御装置５１の出力には切換スイッチ５５を介して負荷５２、蓄電池５３及び電力回線５４が接続される。太陽電池付きロールスクリーン１０で発生した電力を充放電制御装置５１で調整し、切換スイッチ５５で切換えて、負荷５２で使用したり、又は蓄電池５３に充電したり、或いは電力回線５４を通じて他の電気装置に供給される。
【００４４】
＜第２の実施の形態＞
図９は、本発明の第２の実施の形態を示す。図９において図５と同一符号は同一部品を示す。この実施の形態では、図９に示すように、巻取りパイプ１３はその両端に固着された回転軸１３ｂを備え、この回転軸１３ｂは支持ブラケット１２ｃの支持孔６０ａに挿入して軸受される。円板状のエンドキャップ５０がその中心孔７３を正極ブラシ６４ａと負極ブラシ６４ｂを有する側の一方の回転軸１３ｂに嵌入して巻取りパイプ１３に固定される。図９〜図１２に示すように、エンドキャップ５０の巻取りパイプ１３に対向する内面には、中心孔７３を中心に互いに異なる径でリング状の第１正極配線６３ａと第１負極配線６３ｂとが配設される。これらの第１正極配線６３ａと第１負極配線６３ｂは正極ブラシ６４ａと負極ブラシ６４ｂにそれぞれ接続される。エンドキャップ５０の外面には第１正極配線６３ａと第１負極配線６３ｂとに図示しない通孔に設けられた導線を介してそれぞれ導通する中心孔７３を中心に互いに異なる径でリング状の第２正極配線７２ａと第２負極配線７２ｂとが設けられる。これらの第１正極配線６３ａと第１負極配線６３ｂ並びに第２正極配線７２ａと第２負極配線７２ｂは導電性ペーストを印刷し焼成することにより、或いは導電性リングをエンドキャップ５０に貼り付けることにより形成される。図１３に示すように、一方の支持ブラケット１２ｃのエンドキャップ対向面には、第２正極配線７２ａと第２負極配線７２ｂとにそれぞれ接続する正極コンタクト７１ａと負極コンタクト７１ｂが配設される。これらの正極コンタクト７１ａと負極コンタクト７１ｂには支持ブラケットを貫通する正極取出し配線６１ａと負極取出し配線６１ｂがそれぞれ接続される（図９）。上記構成により、正極ブラシ６４ａと負極ブラシ６４ｂは、一方の支持ブラケット１２ｃから引き出される正極取出し配線６１ａと負極取出し配線６１ｂにそれぞれ接続される。
【００４５】
＜第３の実施の形態＞
図１４は、本発明の第３の実施の形態を示す。図１４において図５と同一符号は同一部品を示す。この実施の形態では、図１４〜図１６に示すように、巻取りパイプ１３は、その両端で巻取りパイプを回転可能に支持する支軸８０ｂを備える。この支軸８０ｂにはエンドキャップ８０が固着される。具体的には、エンドキャップ８０は支軸より大径の軸部８０ａが固着されて形成される。このエンドキャップ８０はその軸部８０ａを正極ブラシ６４ａと負極ブラシ６４ｂを有する側の巻取りパイプ１４の端部に嵌入して設けられる。エンドキャップ８０の軸部８０ａの周面には第３正極配線８０ｃと第３負極配線８０ｄとが配設される。一方、巻取りパイプ１３の端部内部には、有底円筒８１ａとこの円筒８１ａの中心に固着された軸８１ｂとこの軸８１aを支持する軸受円板８１ｃとが設けられ、有底円筒８１aと軸受円板８１ｃは巻取りパイプ１３にビス止めされる。エンドキャップ８０の軸部８０ａの巻取りパイプ１３への嵌入により、軸部８０ａの周面に設けられた第３正極配線８０ｃと第３負極配線８０ｄが正極ブラシ６４ａと負極ブラシ６４ｂにそれぞれ接続される。一方の支持ブラケット１２ｃの内面にはエンドキャップ固定具８２が固着される。エンドキャップ８０は支軸８０ｂを一方の支持ブラケット１２ｃの支持孔６０ａに挿入した状態でエンドキャップ固定具８２に係止して固定される。第３正極配線８０ｃと第３負極配線８０ｄは軸部８０ａ内部の通孔（図示せず）と支軸８０ｂの中心孔８０ｅとを通過する正極取出し配線６１ａと負極取出し配線６１ｂにそれぞれ接続される。これらの正極取出し配線６１ａと負極取出し配線６１ｂは、図１５に示す支持孔６０ａから取り出されるようになっている。
【図１】
2014105449.tif 000003
【図２】
2014105449.tif 000004
【図３】
2014105449.tif 000005
【図４】
2014105449.tif 000006
【図５】
2014105449.tif 000007
【図６】
2014105449.tif 000008
【図７】
2014105449.tif 000009
【図８】
2014105449.tif 000010
【図９】
2014105449.tif 000011
【図１０】
2014105449.tif 000012
【図１１】
2014105449.tif 000013
【図１２】
2014105449.tif 000014
【図１３】
2014105449.tif 000015
【図１４】
2014105449.tif 000016
【図１５】
2014105449.tif 000017
【図１６】
2014105449.tif 000018